(57)【要約】      （修正有）【課題】構成部品を少なくし、輸送・販売等に適した形状で、コスト削減の結果として消費者に低価格で販売することができ、不要時にはコンパクトにサイズ変更可能であり、径をブーツ筒部に合わせて自在に調節することが可能で、消臭、防虫、除湿等の効果を発揮し得るブーツ挿入具を提供する。【解決手段】ブーツ挿入具は、捲回可能な板状部材で構成され、さらに板状部材を捲回状態で固定する連結部と被連結部とを備え、前記連結部が前記板状部材の捲回方向における端部側に設けられており、前記被連結部が前記連結部に対応して前記板状部材に設けられているものである。【選択図】図１
0003146949.tif 000002
【実用新案登録請求の範囲】
【請求項１】
捲回可能な板状部材で構成され、
前記板状部材を捲回状態で固定する連結部と被連結部とを備える
ブーツ挿入具。
【請求項２】
前記連結部が、前記板状部材の捲回方向における端部側に設けられた突出部であり、
前記被連結部が、前記突出部に対応して前記板状部材に設けられ、前記突出部が挿入可能な開口部である
請求項１に記載のブーツ挿入具。
【請求項３】
複数の前記被連結部が前記板状部材の捲回方向に並列している
請求項１又は２に記載のブーツ挿入具。
【請求項４】
前記連結部と前記被連結部とが接着可能に形成されている
請求項１に記載のブーツ挿入具。
【請求項５】
複数の屈曲部が前記板状部材上に設けられている
請求項１〜４いずれか一項に記載のブーツ挿入具。
【請求項６】
前記屈曲部が略一定の間隔で並列している
請求項１〜５いずれか一項に記載のブーツ挿入具。
【請求項７】
捲回状態の前記板状部材の長手方向における端部に設けられた切欠部を備える
請求項１〜６いずれか一項に記載のブーツ挿入具。
【請求項８】
請求項７記載のブーツ挿入具２つと、
前記切欠部に挿入されて前記２つのブーツ挿入具を連関させる連関具とを含む
ブーツ挿入具セット。
【考案の詳細な説明】
【技術分野】
【０００１】
本考案は、保管時におけるブーツの型崩れ及び転倒を防止するブーツ挿入具に関する。
【背景技術】
【０００２】
近年、お洒落な履物としてブーツが流行している。なかでも、ふくらはぎ部分まで覆うロングブーツは、特に若い女性の間で人気があり、秋冬ファッションの定番として浸透している。
【０００３】
しかし、ロングブーツは、ふくらはぎ部分を覆う筒部が長いため、保管方法が難しく問題となっていた。すなわち、ロングブーツをそのまま放置すると、筒部が垂れて型崩れが起こりやすいという問題があった。また、重心がブーツ上方にあるため不安定であり、転倒しやすいという問題もあった。
【０００４】
そのような事情を鑑みて、従来からブーツの保管上の問題を解決するさまざまな器具が開発されている。例えば、１対のブーツを組み合わせて保管し、保管の際に必要なスペースを省くことが可能なブーツ挿入具が存在する（特許文献１参照）。また、硬質の芯材と、芯材の外周を囲繞するクッション材と、クッション材の外面を被覆する外装カバー体とから構成されるブーツ挿入具が存在する（特許文献２参照）。
【０００５】
さらに、ブーツ内に器具を挿入する必要がなく、外からブーツを支えるブーツ支持具も存在する（特許文献３及び特許文献４参照）。
【特許文献１】特開２００２−１５３３７０号公報
【特許文献２】実登第３１３１４９８号公報
【特許文献３】特開２００６−３２５６７７号公報
【特許文献４】実登第３１０６０４６号公報
【考案の開示】
【考案が解決しようとする課題】
【０００６】
しかしながら、従来のブーツ挿入具及びブーツ支持具は構成部品が多く、その製造工程は複雑であった。したがって、製造コストの削減には限界があった。また、従来のブーツ挿入具及びブーツ支持具は、成形された状態で輸送しなければならないため、輸送にも多大なコストが掛かっていた。さらに、成形された状態では売り場に配置できる製品数が限られるため、販売員に品出しや在庫管理などについて過度の負担がかかっていた。
【０００７】
加えて、従来のブーツ挿入具及びブーツ支持具はサイズ変更可能な構造を有していない。したがって、ブーツ使用中はブーツ挿入具及びブーツ支持具は不要であるが、それらを片付けるのが手間となっていた。また、ブーツ筒部の径は、使用者のふくらはぎの太さに応じて千差万別であるが、ブーツ挿入具の径をブーツ筒部の径に合わせて調節することはできなかった。
【０００８】
本考案は上記のような種々の課題に鑑みてなされたものである。すなわち、構成部品をなるべく少なくし、輸送・販売等に適した形状であって、それらコスト削減の結果として消費者に低価格で販売することのできるブーツ挿入具を提供することを目的とする。また、不要時にはコンパクトにサイズ変更可能であり、径をブーツ筒部に合わせて自在に調節することが可能で、さらに消臭、防虫、除湿等の効果を発揮するブーツ挿入具を提供することも目的とする。
【課題を解決するための手段】
【０００９】
本考案のブーツ挿入具は、捲回可能な板状部材で構成され、さらに板状部材を捲回状態で固定する連結部と被連結部とを備えるものである。
【００１０】
また、本考案のブーツ挿入具における連結部には、板状部材の捲回方向における端部側に設けられた突出部を、同時に被連結部は、突出部に対応して板状部材に設けられ、突出部が挿入可能な開口部を用いることができる。さらに、被連結部は複数備えられ、板状部材の捲回方向に並列していることが好ましい。
【００１１】
また、本考案の他のブーツ挿入具は、連結部と被連結部がお互いが接着可能に構成されるものであってもよい。
【００１２】
また、本考案のブーツ挿入具は、複数の屈曲部が板状部材上に設けられ。さらに、板状部材上の複数の屈曲部は、略一定の間隔で並列していることができる。
【００１３】
また、本考案のブーツ挿入具は、捲回状態の板状部材の長手方向における端部に設けられた切欠部を備えることができる。また、本考案のブーツ挿入具セットは、切欠部を備えるブーツ挿入具２つと、切欠部に挿入されて２つのブーツ挿入具を連関させる連関具とから構成される。
【考案の効果】
【００１４】
本考案のブーツ挿入具は、板状部材から構成されており、連結部と被連結部とを用いて板状部材を捲回状態に固定してブーツに挿入する。したがって、構成部品の数が少ないため、容易に製造することができる。また、板状での輸送が可能であり、輸送コストが削減される。さらに、板状で販売することができ、販売スペースが小さくても済むため、販売員の負担が軽減される。
【００１５】
また、ブーツ挿入具未使用時には、連結部及び被連結部による固定を解除することで、ブーツ挿入具を捲回状態から板状に戻すことが可能、すなわちサイズ変更が可能であるため、省スペースで収納することができる。
【００１６】
本考案のブーツ挿入具は、複数の被連結部を備えることで、連結部と組み合わせる被連結部を選択することができ、結果として捲回状態にある板状部材の径の大きさを自在に変更することができる。すなわち、連結部から近い被連結部を用いれば径は小さくなり、逆に連結部から遠い被連結部を用いれば径は大きくなる。
【００１７】
本考案の他のブーツ挿入具は、連結部と被連結部とが接着可能であることから、板状部材の固定とその解除を容易かつ自在に行うことができる。
【００１８】
また、本考案のブーツ挿入具は複数の屈曲部を備えることで、板状部材を複数の屈曲部で屈曲し、容易に捲回状態とすることができる。また、複数の屈曲部が略一定の間隔で並列することで、板状部材を捲回状態としたときの強度が上昇する。すなわち、段ボール等の素材で板状部材を構成した場合であっても、かかる構成を採用することでブーツの型崩れ防止に十分な強度を確保することができる。また、素材として段ボールを用いた場合には、製造コストを低く抑えることができる。
【００１９】
また、本考案のブーツ挿入具は切欠部を備えることで、消臭剤や防虫剤、脱水剤等を切欠部に引っ掛けた紐で吊るし、ブーツ挿入具内部の空洞に留置させることができる。さらに、２つのブーツ挿入具の切欠部に１つの連関具を挿入することでブーツ挿入具を容易に連関させることができる。２つのブーツ挿入具を連関させることで、ブーツ挿入具が挿入されたブーツも連関するため、ブーツの転倒を防止することができる。
【００２０】
すなわち、本考案のブーツ挿入具は板状部材から構成されているため、製造・輸送・販売等のコストが削減され、その結果消費者に安価で販売することができる。また、ブーツ挿入具不要時には連結を解除することで板状となるため、省スペースでの収納が可能である。さらに、径をブーツに合わせて自在に調整することが可能であり、また消臭剤や防虫剤、脱水剤等を内部に留置させることもできる。
【考案を実施するための最良の形態】
【００２１】
次に、本考案を実施するための最良の形態について説明する。
【００２２】
本考案のブーツ挿入具を構成する板状部材は、プラスチック、厚紙、段ボール等を用いることができる。なかでも、製造コストの面から考えると、板状部材は段ボールから構成されていることが好ましい。段ボールであれば安く入手することができ、また金型等による打ち抜きや、各種切断機による切断だけで容易に製造することができるためである。
【００２３】
また、板状部材を捲回状態としたときには、板状部材が１重に捲回したものでもよいが、ブーツ挿入具の強度を高めるためには２重以上に捲回したものであることが好ましい。また、捲回状態の板状部材の内部は空洞であることが好ましい。内部が空洞であれば、内部に消臭剤、吸水剤、防虫剤等を留置しておくことが可能となるためである。
【００２４】
また、板状部材には、空気を通過させるための孔が少なくとも１以上開いていることが好ましい。ブーツの保管上の観点から、ブーツ挿入時に通気性を発揮することが望ましいためである。各孔の形状は限定されないが、円形状、楕円形状、三角又は四角などの多角形形状、星型形状などにすることができる。また、後述するように、各孔は屈曲部上に構成されることが好ましい。
【００２５】
板状部材は、板状部材を捲回状態に固定するための連結部と、連結部に対応する被連結部とを備える。連結部と被連結部とを組み合わせることで、板状部材を捲回状態で固定できるものであればよい。具体的には、突出部と突出部が挿入可能な開口部、ボタンとその取り付け部等を用いることができる。なかでも、突出部と開口部とを採用した場合には、板状部材のみを構成部品として製造することが可能であるため、製造コスト削減の観点から好ましい。
【００２６】
連結部を突出部とした場合、突出部は板状部材の端部側に構成されていればよい。しかし、突出部を開口部に挿入した際に板状部材の残余部分を出さないようにするためには、突出部は端部にあることが好ましい。また、被連結部を開口部とした場合、後述するように開口部は屈曲部上に構成されていることが好ましい。また、突出部を開口部に挿入すると、挿入された突出部が開口部につかえることで板状部材が固定される。また、突出部が板状部材の裏側と接することで摩擦力が生じるため、これも板状部材の固定に寄与する。
【００２７】
また、被連結部が複数備えられる場合には複数の被連結部が板状部材の捲回方向に並列することが好ましい。かかる場合には、いずれの被連結部を選択しても板状部材が同様の形状に捲回されるためである。
【００２８】
また、連結部と被連結部は、お互いが接着可能であるもの、例えば面ファスナにおけるフック面とループ面等を用いることもできる。面ファスナを用いることで、板状部材の固定やその固定の解除を容易かつ自在に行うことができる。
【００２９】
板状部材上に構成される複数の屈曲部は、板状部材が屈曲部で屈曲する構造であればよく、具体的には溝、ミシン目、折り目等を用いることができる。屈曲部が略一定の間隔で並列する場合、板状部材を屈曲部で屈曲することで多角柱形状とすることができる。また、孔及び被連結部である開口部は、屈曲部上に構成されることが望ましい。孔又は開口部があるために屈曲部の強度が下がり、屈曲し易くなるためである。加えて、開口部が屈曲部上にある場合には、開口部に挿入された突出部も屈曲するため、突出部が開口部につかえることで固定の強度が増すためである。
【００３０】
切欠部は、捲回状態にある板状部材の長手方向における端部に設けられる。消臭剤や防虫剤、脱水剤を切欠部に引っ掛けた紐で吊るし、ブーツ挿入具内部の空洞に留置させることができる。
【００３１】
連関具は、切欠部に挿入されて２つのブーツ挿入具を連関させるものであればよい。例えば、２つのブーツ挿入具の切欠部同士を対向させ、連関具を対向した切欠部に連関具を挿入することで、ブーツ挿入具を連関させることができる。ブーツ挿入具を連関させると、転倒防止機能をより強く発揮することができる。
【実施例】
【００３２】
次に、本考案のブーツ挿入具の一例を、図１、図２、図３、図４及び図５を参照して、より詳細に説明する。以下、図面において示す参照番号は、同一の番号は同一のものを示している。
【００３３】
図１は本考案におけるブーツ挿入具セットの概略図であり、図２は、本考案のブーツ挿入具セットに用いられる連関具の概略図である。また、図３は図１におけるブーツ挿入具１０１の突出部１０７の拡大図であり、図４は略スリット状の開口部１０９の拡大図である。図５は本考案におけるブーツ挿入具セットにおいて、２つのブーツ挿入具を連関具で連関させた状態の斜視図である。
【００３４】
図１は、板状部材１０５で構成されるブーツ挿入具１０１を示し、図２は、２つのブーツ挿入具１０１及び１つの連関具１０３を構成品とする本考案のブーツ挿入具セットを示す。これらは全て１枚の段ボールのみを原材料とし、段ボールの金型での打ち抜きや、切断機での切断により製造される。
【００３５】
次に、ブーツ挿入具１０１の構成について説明する。ブーツ挿入具１０１は、板状部材１０５であって、連結部たる突出部１０７を紙面左端部に有し、また突出部１０７が挿入可能な略スリット状の開口部（以下、「スリット」という。）１０９ａ、１０９ｂ及び１０９ｃを屈曲部１１５上に有する。板状部材１０５上には複数の屈曲部１１５が板状部材１０５の捲回方向に、略一定の間隔で並列している。
【００３６】
屈曲部１１５上には、図１における矢印Yで示される長手方向（より具体的には、捲回状態の板状部材１０５の長手方向）において上方より下方に向かって、切欠部１１９、空気穴１１７ａ、空気穴１１７ｂが構成され、これらは屈曲部１１５と同一の間隔で並列している。切欠部１１９は、捲回状態の板状部材１０５の長手方向における端部に複数設けられている。なお、隣接する切欠部１１９同士の間において、板状部材１０５の上端部は略半円状形状となっている。
【００３７】
本実施例においては、孔１１７ａ及び１１７ｂは屈曲部１１５上に構成され、またスリット１０９ａ、１０９ｂ及び１０９ｃが屈曲部１１５上に構成される。これにより、板状部材１０５が屈曲部１１５上で屈曲し易くなる。
【００３８】
板状部材１０５は屈曲部１１５で屈曲可能に構成されており、板状部材１０５をすべての屈曲部１１５で同方向に屈曲することにより（より具体的には、図１における矢印Xで示される捲回方向に捲回することにより）、板状部材１０５を捲回状態とすることができる。さらに、突出部１０７をスリット１０９ａ、１０９ｂ又は１０９ｃのいずれか１つに挿入すると、板状部材１０５が捲回状態で固定される。
【００３９】
ここで、ブーツ挿入具１０１の径は、突出部１０７を挿入するスリットを選択することで調節可能である。すなわち、突出部１０７を、スリット１０９ａに挿入すれば径は最も小さくなり、スリット１０９ｃに挿入すれば径は最も大きくなる。
【００４０】
さらに、図３及び図４を参照し、突出部１０７をスリット１０９に挿入し板状部材１０５が捲回状態で固定される段階について、より詳細に説明する。突出部１０７は、横方向（図３における矢印Xで示される捲回方向）に突出した端部２０１ａ及び２０１ｂを有する凸形状を有する。
【００４１】
スリット１０９は、幅の拡い孔３０１と、図４における矢印Yで示される長手方向において上下２つの幅の狭い孔３０３ａ及び３０３ｂと、幅広孔３０１の、図４における矢印Xで示される捲回方向における左側に設けられた半円形孔３０５とから構成される。
【００４２】
突出部１０７をスリット１０９に挿入すると、板状部材１０５が捲回状態から元に戻ろうとする力が働くが、屈曲した突出部１０７の端部２０１ａ及び２０１ｂが幅の狭い孔３０３ａ及び３０３ｂに引っ掛かって固定される。また、突出部１０７が板状部材１０５の裏側と触れ合うことで摩擦力が生じ、これも板状部材１０５の固定に寄与する。一方、板状部材１０５の固定を解除しようとするときは、半円形孔３０５に指を当て、突出部１０７を引き出すことで容易に行うことができる。
【００４３】
次に、図５を用いて、本考案におけるブーツ挿入具１０１ａ及び１０１ｂを連関具１０３で連関した状態について説明する。ブーツ挿入具１０１は、板状部材１０５が扇型であることから、捲回状態では先細り形状となる。したがって、ブーツ挿入具１０１をブーツに挿入するとブーツ筒部の内部形状に適合し、型崩れ防止機能がより強く発揮される。
【００４４】
また、ブーツ挿入具１０１ａ、１０１ｂのそれぞれの切欠部１１９を対向させ、連関具１０３を挿入することで、２つのブーツ挿入具１０１ａ及び１０１ｂを連関させることができる。連関させた状態でブーツ挿入具１０１ａ及び１０１ｂそれぞれをブーツに挿入する、又はブーツに挿入した状態のブーツ挿入具１０１ａ及び１０１ｂを連関具１０３により連関させることで、ブーツの転倒防止機能がより強く発揮される。
【００４５】
以上、本考案のブーツ挿入具についての実施形態を説明してきたが、ここで示された実施形態は本考案の一例に過ぎず、実用新案登録請求の範囲の精神及び教示を逸脱しない範囲で他の実施形態が存在することは当業者に容易に理解できよう。
【００４６】
例えば、連結部が面ファスナにおけるフック面であり、かつ被連結部が面ファスナにおけるフープ面であるものであってもよい。また、板状部材は捲回可能であればよく、屈曲部の数は図１に示される数に限定されず、屈曲部を有しなくてもよい（その場合、捲回状態の板状部材は略円筒形状となる。）。
【００４７】
図２に示す連関具の代わりに、例えば２つのブーツ挿入具が互いに対向する部分において、一方に面ファスナのフック面を設け、他方に面ファスナのフープ面を設けてもよい。この場合、フック面及びフープ面を含む面ファスナが連関具となる。
【００４８】
また、例えば２つのブーツ挿入具を構成する板状部材において、一方に連関用スリットを設け、他方に前記連関用スリットが係合し得る連関用突起部を設けてもよい。この場合、連関用スリット及び連関用突起部の組合せが連関具となる。例えば、図１に示す実施の形態の板状部材１０５において、隣接する切欠部１１９同士の間に位置する略半円状形状の上端部を、外側に折り曲げ可能にして連関用突起部として利用してもよい。
【００４９】
また、図１においては、隣接する切欠部１１９同士の間において、板状部材１０５の端部は略半円状形状となっているが、これに制限されるわけではなく、例えば三角形状や四角形状などの凸形状であっても、直線状であってもよい。また、屈曲部１１５の数も図１に示す数に制限されるものではない。
【図面の簡単な説明】
【００５０】
【図１】本考案のブーツ挿入具を構成する板状部材の概略図である。
【図２】本考案のブーツ挿入具セットに用いられる連関具の概略図である。
【図３】図１におけるブーツ挿入具の突出部１０７の拡大図である。
【図４】図１におけるブーツ挿入具のスリット１０９の拡大図である。
【図５】本考案のブーツ挿入具セットであって、２つのブーツ挿入具を連関具で連関させた状態の斜視図である。
【符号の説明】
【００５１】
１０１：ブーツ挿入具
１０３：連関具
１０５：板状部材
１０７：突出部
１０９：スリット
１１５：屈曲部
１１９：切欠部
【図１】
0003146949.tif 000003
【図２】
0003146949.tif 000004
【図３】
0003146949.tif 000005
【図４】
0003146949.tif 000006
【図５】
0003146949.tif 000007
【手続補正書】
【提出日】平成20年10月2日(2008.10.2)
【手続補正１】
【補正対象書類名】実用新案登録請求の範囲
【補正対象項目名】請求項１
【補正方法】変更
【補正の内容】
【請求項１】
捲回可能な板状部材で構成され、
前記板状部材を捲回状態で固定する連結部と被連結部とを備え、
前記連結部が前記板状部材の捲回方向における端部側に設けられており、
前記被連結部が前記連結部に対応して前記板状部材に設けられている
ブーツ挿入具。
【手続補正２】
【補正対象書類名】明細書
【補正対象項目名】０００９
【補正方法】変更
【補正の内容】
【０００９】
本考案のブーツ挿入具は、捲回可能な板状部材で構成され、さらに板状部材を捲回状態で固定する連結部と被連結部とを備え、前記連結部が前記板状部材の捲回方向における端部側に設けられており、前記被連結部が前記連結部に対応して前記板状部材に設けられているものである。